(57)【要約】      （修正有）【課題】従来のポンプ浚渫船やクラムシェルバケットでの目的物だけでなく周囲の目的外の物まで吸引あるいはつかみ取るという問題点と、スクリュウコンベアでは、水分だけが吸引され土砂が詰まったり、大きな礫がスクリュウを止め搬送作業がストップするという問題点の解決を図る。【解決手段】沈殿物の深度に合わせ、バラストタンクを調整することにより水中遊仕艇を浮沈させ、潜水夫がエアーガンにより目的物だけに噴射し、エアーリフトのよって吸引搬送する効果を発揮させる。【選択図】図１
2014094731.tif 000002
【特許請求の範囲】
【請求項１】
本体下部材に支持材定着部材Ａを係着し、支持材定着部材Ａに上下支持材Ａ，上下支持材Ｂを係着し、操作盤を固着し、エアーガンエアー送入口部材を係着する。本体上部材に支持材固定部材Ｂを係着し、エアー送入部材兼送電線固定部材を係着し、支持材固定部材Ｂにバラストタンク支持補助材を固着し、バラストタンク支持補助材にバラストタンク固定材を固着し、バラストタンク固定材にバラストタンクを固着する。エアー送入部材兼送電線固定部材にエアー送入管を固着し、送電線を固着し、操作盤に配電し、エアーガンエアー注入部材にエアーガンエアー注入管を固着し、その一方をエアーガンに固着する。エアーリフト管にフレキシブルジョイント弁を設け、フード及び吸引口を溶着し、スプリングで本体下部材に吊着した水中掃除機・水中遊仕艇。
【発明の詳細な説明】
【技術分野】
【０００１】  本発明は、水中に滞留した汚泥や沈殿物その他の目的物を、エアーリフトによって吸引搬送する水中掃除機・水中遊仕艇に関するものである。
【背景技術】
【０００２】  従来の技術としては、水中の堆積物を除去するためにはポンプ浚渫船が使われたり、クラムシェルバケットを使って堆積物をつかみ取る方法がある。また、土砂、礫、粉粒体などを搬送するスクリュウコンベアがある。（例えば特許文献１）
【先行技術文献】
【特許文献】
【０００３】
【特許文献３】  特許第３８７０３４４号
【発明の概要】
【発明が解決しようとする課題】
【０００４】  以上に述べた従来のポンプ浚渫船やクラムシェルバケットでは、目的物だけでなく周囲の目的外の物まで吸引あるいはつかみ取っていた。例えば珊瑚礁群の汚物の除去をするときは珊瑚礁まで傷つけていた。また、スクリュウコンベアでは、水分だけが吸引され土砂が詰まったり、大きな礫がスクリュウを止め搬送作業がストップするというものであった。【０００５】  本発明は、このような従来の技術が有していた問題点を解決しようとするものであり、バラストタンクにより水中遊仕艇を浮沈させ、エアーリフトによって吸引物を吸引除去する。エアーリフト管はスプリングにより可動となし、吸引口はフレキシブルジョイント弁の開閉による吸引物の吸引調整をなし、フードにより飛散を防止している。また、潜水夫が操作盤により水中遊仕艇の浮沈を調整しつつ、エアーガンにより目的物だけに噴射し吸引させることを目的とするものである。
【課題を解決するための手段】
【０００６】  そして、本発明は上記課題を解決するために、本体下部材に支持材締着部材Ａを係着し、支持材締着部材Ａに上下支持材上下支持材Ａ，上下支持材Ｂを係着し、操作盤を固着し、エアーガンエアー送入口部材を係着する。本体上部材に支持材固定部材Ｂを係着し、エアー送入部材兼送電線固定部材を係着し、支持材固定部材Ｂにバラストタンク支持補助材を固着し、バラストタンク支持補助材にバラストタンク固定材を固着し、バラストタンク固定材にバラストタンクを固着する。エアー送入部材兼送電線固定部材にエアー送入管を固着し、送電線を固着し、操作盤に配電し、エアーガンエアー注入部材にエアーガンエアー注入管を固着し、その一方をエアーガンに固着する。エアーリフト管にフレキシブルジョイント弁を設け、フード及び吸引口を溶着し、スプリングで本体下部材に吊着するものである。【０００７】  上記の課題解決手段による作用は次のとおりである。すなわち沈殿物の深度に合わせ、バラストタンクを調整することにより水中遊仕艇を浮沈させ、潜水夫がエアーガンにより目的物だけに噴射し、エアーリフトのよって吸引搬送する効果を発揮する。
【発明の効果】
【０００８】  上述したように、本発明の水中遊仕艇は、潜水夫が直接エアーガンにより細かい作業をするので、目的物以外の物の吸引を防止できるということにより、吸引量が減量され吸引効率を上げる効果を発揮する。【０００９】  本発明は、深度が大きな湖底や海において使用されることをも想定しており、深い場所で先端部に噴射すればエアリフト効果により装置の効果は倍増する。【００１０】  搬送物の質・量は使用場所によって様々である。このことを勘案して、先端部にはオプションとして数種類の吸引口がある。【００１１】  また、エアー量を調整して搬送補助を可変することもできる。【００１２】  さらに、水中だけでなく吸引口を水面に設置すれば、例えば赤潮のような浮遊物はトルネードのように吸引する。
【発明を実施するための最良の形態】
【００１３】  以下、本発明の実施の形態を図１〜図３に基づいて説明する。【００１４】  図においては、１の本体下部材には２の支持材定着部材Ａが係着され、２の支持材定着部材Ａには３の上下支持材Ａと４の上下支持材Ｂが係着され、５の操作盤が固着され、６のエアーガンエアー送入口部材が係着されている。７の本体上部材には８の支持材定着部材Ｂが係着され、９のエアー送入部材兼送電線固定部材が係着され、８の支持材定着部材Ｂに１０のバラストタンク支持補助材が固着され、１０のバラストタンク支持補助材に１１のバラストタンク固定材が固着され、１１のバラストタンク固定材に１２のバラストタンクが固着されている。９のエアー送入部材兼送電線固定部材に１３のエアー送入管が固着され、１４の送電線が固着され、５の操作盤に配電され、６のエアーガンエアー注入口部材に１５のエアーガンエアー注入管が固着され、その一方が１６７のエアーガンに固着されている。１７のエアーリフト管には１８のフレキシブルジョイント弁が設けられ、１９のフード及び２０の吸引口が溶着され、２１のスプリングで１の本体下部材に吊着された水中掃除機・水中遊仕艇である。【００１５】  以下、上記構成の詳細・作用を説明する。１の本体下部材には内径１３ｍｍ〜５０ｍｍ程度のステンレス管が使用され、直径１，５ｍ程度の円形に加工されており、２の支持材定着部材Ａが同ステンレス管を使用しＴ字型に加工され係着されている。２の支持材定着部材Ａには同ステンレス管を使用した３の上下支持材Ａと４の上下支持材Ｂが係着され、５の防水加工された操作盤が固着され、２の支持材定着部材Ａと同品である６のエアーガンエアー送入口部材が係着されている。７の本体上部材には１の本体下部材と同材が使用され、直径２，０ｍ程度の円形に加工されており、２の支持材定着部材Ａを略＋型に加工された８の支持材定着部材Ｂ及び９のエアー送入部材兼送電線固定部材が係着され、８の支持材定着部材Ｂに１０のバラストタンク支持補助材が固着され、１１のバラストタンク固定材に強化ゴムを使用し、直径１ｍ程度に加工された１２のバラストタンクが固着されている。９のエアー送入部材兼送電線固定部材に１３のエアー送入管が固着され、１４の送電線が固着され、５の操作盤に配電され、６のエアーガンエアー注入口部材に１５のエアーガンエアー注入管が固着され、その一方が１６のエアーガンに固着されている。１７のエアーリフト管には内径３０ｍｍ〜２００ｍｍ程度のステンレス管が使用され、１８のフレキシブルジョイント弁が設けられ吸引量を調整しており、ステンレス製の直径３００ｍｍ〜８００ｍｍ程度の略半円形に加工された１９のフード及び２０の吸引口が溶着され、２１のスプリングで１の本体下部材に吊着されている。【００１６】  １９のフレキシブルジョイント弁は２１の吸引口を可動としており、また、２１の吸引口はエアーリフト管の口径よりより若干小口径となっており、搬送物に応じてアタッチメントが替えられるようになされている。【００１７】  部材に使用されているステンレスはアルミニウムを使用しても良い。
【図面の簡単な説明】
【００１８】
【図１】本発明の外観図である。
【符号の説明】  １．本体下部材
２．支持材定着部材Ａ
３．上下支持材Ａ
４．上下支持材Ｂ
５．操作盤
６．エアーガンエアー送入口部材
７．７の本体上部材
８．支持材定着部材Ｂ
９．エアー送入部材兼送電線固定部材
１０．バラストタンク支持補助材
１１．バラストタンク固定材
１２．バラストタンク
１３．エアー送入管
１４．送電線
１５．エアーガンエアー注入管
１６．エアーガン
１７．エアーリフト管
１８．フレキシブルジョイント弁
２９．フード
２０．吸引口
２１．スプリング
【図１】
2014094731.tif 000003